(57)【要約】      （修正有）【課題】運転員向けに簡便で誤操作の無い支援機能を提供する。【解決手段】運転支援機能を持つコンピュータ（以下、運転支援用機能１）、監視制御用コンピュータ（以下、監視制御用機能２０）、および運転設備３０より構成する。運転支援用機能１は、入出力用にモニター８、キーボード９、マウス１０を備え、更に設備運転支援機能２、運転マニュアルファイル３、画面操作手順ファイル４および関連付けファイル５を備え、運転マニュアル編集機能１１、画面操作手順ファイル編集機能１２および関連付けファイル編集機能１３を備えている。監視制御用機能２０は、入出力用にモニター２１、スピーカー２２を、更に図示しないマウスやキーボードを備え、運転員が設備の運転を遂行するために設ける機能である。【選択図】図１
2016115324.tif 000002
【特許請求の範囲】
【請求項１】
画面を操作して設備の運転を行う設備監視制御用機能と運転支援用機能より構成される設備運転用コンピュータシステムにおいて、前記の運転支援用機能が、前記の監視制御用機能の設備の状態を文字や数字若しくはシンボルなどでモニターに表示する画像データまたは特定音色の警報音で通知する音声信号データを利用して、設備に発生する事象種別を判別すると共にあらかじめ設けられた複数の運転マニュアル若しくは自動運転の条件を記述したファイルの中から当該判別事象に対応する運転方法を自動選択する機能を有する設備運転方法。
【請求項２】
画面を操作して設備の運転を行う設備監視制御用機能と運転支援用機能より構成される設備運転用コンピュータシステムにおいて、前記の運転支援用機能が、設備運転員が任意に記述できる運転マニュアル若しくは自動運転の条件を記述したファイルの記述に基づいて、前記の監視制御用機能の設備運転画面を自動的に操作し、若しくは運転員と対話しながら前記の監視制御用機能の設備運転画面を自動操作する機能を有する設備運転方法。
【請求項３】
画面を操作して設備の運転を行う設備監視制御用機能と運転支援用機能より構成される設備運転用コンピュータシステムにおいて、前記の運転支援用機能が、設備運転員が任意に記述できる運転マニュアル若しくは自動運転の条件を記述したファイルの記述部と付加した関連付けデータに基づいて、前記運転支援機能が設備の運転方法ごとにあらかじめ準備した標準形式の画面操作手順を選択して前記の監視制御用機能の設備運転画面を自動的に操作し、若しくは運転員と対話しながら前記の監視制御用機能の設備運転画面を自動操作する機能を有する設備運転方法。
【請求項４】
設備運転情報の入出力機能と運転支援用機能より構成される設備運転用コンピュータシステムにおいて、前記の運転支援用機能が、前記の入出力機能により通知される情報から設備に発生する事象種別を判別すると共にあらかじめ設けられた複数の運転マニュアル若しくは自動運転の条件を記述したファイルの中から当該判別事象に対応する運転方法を自動選択する機能を有する設備運転方法。
【請求項５】
設備運転情報の入出力機能と運転支援用機能より構成される設備運転用コンピュータシステムにおいて、前記の運転支援用機能が、設備運転員が任意に記述できる運転マニュアル若しくは自動運転の条件を記述したファイルの記述に基づいて、前記の入出力機能を介して設備を自動的に操作し、若しくは運転員と対話しながら前記の入出力機能を介して設備を自動操作する機能を有する設備運転方法。
【請求項６】
設備運転情報の入出力機能と運転支援用機能より構成される設備運転用コンピュータシステムにおいて、前記の運転支援用機能が、設備運転員が任意に記述できる運転マニュアル若しくは自動運転の条件を記述したファイルの記述部と付加した関連付けデータに基づいて、前記運転支援機能が設備の運転方法ごとにあらかじめ準備した標準形式の入出力操作手順を選択し入出力機能を介して設備を自動的に操作し、若しくは運転員と対話しながら入出力機能を介して設備を自動操作する機能を有する設備運転方法。
【請求項７】
請求項１から６に記載の方法による設備遠隔監視装置。
【発明の詳細な説明】
【技術分野】
【０００１】
ビルや工場、病院、学校などの建物には空調機設備や自家発電機設備などをはじめとする多くの設備が備えられそこで活動する人々の生活環境を支えている。ここではいわゆる運転員と呼ばれる技術者によってそこで居住する人の快適な居住空間を確保するためや、効率のよい業務環境を提供維持するための設備運転が行われている。
本発明は、これらの運転員向けの設備運転支援機能に関する。
【背景技術】
【０００２】
建物設備は設備の機能やその納入メーカーや型式によってそれぞれの運転要領が異なるため、運転員にはそれぞれの設備の取り扱いには十分熟知したうえで誤りの無い運転操作の技量が要求される。しかしながら、多くの設備運転の現場では、必ずしも常に熟練運転員により設備の運転が行われるとは限らない。
【０００３】
たとえ熟練運転員がいる場合でも設備の重大故障や他の設備との輻輳故障が発生するケースなどでは、即座の運転判断が困難で、混乱に起因する誤操作を誘発することもしばしば見受けられるところである。未熟練の運転員でも容易に設備運転を行うことのできる仕組みが求められている。
【０００４】
また、設備の運転は、求められる環境の変化によっておのずから運転の方法や運転目標値が変化する。現場技術者は求めに応じた運転方法の変更を要求される。通常は専用の自動運転用のプログラムを開発して監視制御用コンピュータに組込む方法がとられる。
【０００５】
この場合、現場の運転技術者がコンピュータ技術者に要求仕様を提示することから始めて、コンピュータ技術者が主体となるプログラム設計、プログラム製造、試験などの一連のプログラム開発のための作業を経て自動運転機能が出来上がる。一方、設備の最適運転を目指す場合にはいくつかの運転方法の試行錯誤を経て運転方法が決められる場合がある。たとえば、省エネのための最適な運転形態を見つけることなどがある。しかしながら、一旦コンピュータ技術者との間で決めた設備自動運転の機能仕様を製作作業の途中から変更することは至難であり、通常は、試行錯誤による最適な設備運転方法を見つけることは事実上困難な状況がある。
このような場合に、コンピュータ技術者の手を介さずに、現場の設備運転機能の変更を容易に実施できれば高度な運転機能の実装が事実上可能となる。
【先行技術文献】
【特許文献】
【０００６】
【特許文献１】特許５３２５３６２
【特許文献２】特願２０１０−５２３９１７
【特許文献３】特願２０１０−１６７８０８
【特許文献４】特願２０１２−１７７５９０
【特許文献５】特願２０１２−１９２７１９
【特許文献６】特願２０１３−１９３５２２
【０００７】
特許文献１から６では、いずれも設備運転画面を操作して設備の運転を行う方法を開示している。本発明との相違点は、本発明が、設備運転のための誤操作防止や新たな運転機能の追装をきわめて簡単に設けることを可能としている点にある。
【発明の開示】
【発明が解決しようとする課題】
【０００８】
課題の第１は、運転員向けに簡便で誤操作の無い支援機能を提供することである。
設備の日常点検作業や設備事故発生に伴う事故復旧対応作業などあらかじめ想定される事象向けには、多くの運転現場では運転員向けに起こりうる事象ごとの対処方法を記載した運転マニュアルを設けることにより、運転員の技量を補完して極力誤操作を防止する仕組みが設けられている。
【０００９】
この運転マニュアルには、運転対象の設備を操作するスイッチ類やメーターが実装された制御盤と呼ばれる装置のメーターの見方やスイッチの操作方法のほか、設備運転用のコンピュータが有する設備運転用画面の操作方法が記載されている。したがって、運転員は、運転マニュアルに沿って、制御盤の操作や、コンピュータ画面の操作を順次行いながら設備を目的の状態するための操作を行うという具合である。
【００１０】
通常頻繁に操作を必要とする運転用には、状態を表示するためや設定制御用の信号線で接続されるコンピュータに設けられるコンピュータ画面が用いられ、頻度の少ない操作は制御盤から行うというのが一般的であり、たとえば、運転中の電源設備事故の発生に伴って代替用に設ける電源設備に切替えて運転の継続を行う場合がある。このようなケースでは、運転員は故障した電源設備の予備用に準備された設備状態の確認や切替えのための操作を行うことになる。
【００１１】
ここでは運転員はコンピュータ画面を使用した設備の状態たとえば外気温度値や受電電圧値などが一定の値にあることを確認するために設備監視制御用機能画面を操作してモニター画面に設備状態画面を呼出して画面に表示される設備状態値が設備運用基準に規定された状態値や条件が一致することを確認する。また設備監視制御用機能が対象としない設備では、その設備の制御盤が設置されるところに出向いて操作盤のハンドルなどを操作する。このように運転員は設備メーカーが規定する取り扱い方法に従った操作を行う方法で設備の運転を遂行する。
【００１２】
通常、これらの運転マニュアルは、運転員ができるだけ簡便に取出すことが可能な様に配慮したところに置かれている。運転員にとっては、運転マニュアルはきわめて身近な存在になっている。したがって、この運転マニュアルの機能を充実させて設備の運転を自動的遂行させる方法が考えられる
【００１３】
しかしながら、これらの運転マニュアルには、設備が目標とする結果としての設備状態は記述しても途中の画面操作方法等の詳細は記載されないケースが多い。たとえば、停止中の空調機設備を起動するという記述がある。ある程度熟練した運転員であれば、空調機の運転画面を呼び出して対象の空調機シンボルをクリックし、次に表示される運転選択画面の決められた画面入力位置にカーソルを移動して、目的の起動状態をクリックして、最後に実行ボタンをクリックするなどの設備運転用コンピュータが要求する一連の決められた要領による操作を難なく実施する。
【００１４】
一方、未熟練の運転員の中には上記の一連の操作を安全に遂行する自信が持てないものもいるというのが状況である。熟練した運転員の確保は困難な状況にあるため、熟知していない運転員でも、設備運転を容易に遂行できる仕組みが求められている。このため未熟練の運転員でも誤りの無い設備の設定のための画面操作を実行できる仕組みを実現することが課題である。
【００１５】
課題の第２は、より高度な設備運転のための自動運転機能を現場の運転員自身が設けることを可能とする仕組みを実現することである。多くの設備運転の現場では、通常の運転方法に係る設備運転マニュアルが設けられることは前述した。この運転マニュアルの新たな起草や改編に伴う運転要領の記述と連動して、容易に運転支援用コンピューによるより高度な設備の設定操作を実行させる仕組みを設けることができれば課題の実現が可能と考えられる。
【００１６】
実際、設備運転のための運転マニュアルの変更や追加は、通常は設備の運転方法を熟知した運転現場の技術者によって行われる。一方コンピュータに設備運転のための新たな機能を設けるためには、コンピュータのプログラム変更や追加を伴うが、これらの技術者はコンピュータプログラムの設計や製作に係る知識も併せて備えた人は稀である。このため新たな設備運転機能を設けるためにはコンピュータ技術者にプログラム製作作業の委託をすることが行われる。運転マニュアルの変更の都度これらの作業を委託することは費用や委託のための仕様打合せなど設備運転技術者に多くの負担が発生する。
【００１７】
従って、ここでは設備運転員が通常行う運転マニュアルの起草や改編に併せてコンピュータ技術者に依存しないで、設備の自動運転機能の生成や変更を連動して生成することのできる仕組みを実用化することが課題となる。
【課題を解決するための手段】
【００１８】
第１の課題について。
第１の課題を解決するために、設備運転員が通常最も頼りとする運転マニュアルを用いて、設備運転を簡便に安全に遂行する仕組みを設ける。
運転マニュアルは、設備運転要領の記載や運転員向けの留意事項などを示すいわゆるテキスト形式の記述のほか、図形や写真なども含まれて、目的別にその運転要領が文書で記載されている。たとえば設備故障の復旧作業を遂行するための設備の操作方法を通常の資料を作成する要領で生成される文書や図形を記述する方法がとられる。ここでは、設備の運転監視制御用機能を実行するために、設備運転画面の自動操作を行うデータを付加する方法をとる。
【００１９】
すなわち、各々の設備操作ごとに画面操作の手順を表すデータを設けておく。たとえば、個別の空調機の設定温度の変更のための空調機運転画面の操作手順や、個別の受電設備操作のための受電設備画面の操作手順などがある。ここでは、本運転マニュアルを構成する文書データの特定記述部分とコンピュータ画面操作手順の間を関連付けする機能を設けて運転マニュアルに関連付けされた記述部分とリンクする画面操作を実行する方法を採る。
【００２０】
運転マニュアルの中の運転操作に関する記述部と、設備の運転操作のための特定の空調機設備や電源設備などの設備画面の呼出し方法とこれらの設備画面から設備状態データを収集する要領や、特定の空調機設備や電源設備の運転や停止のための画面操作要領を規定画面操作手順データなどの関連する処理との関連付けが、設備運転員の間単な操作で設けることができる仕組みも設ける。
【００２１】
第２の課題について。
複数の事象のそれぞれを対象とする運転マニュアルには、対象とする設備は同一でもそれぞれ異なる運転方法が記載される。すなわち、対象とする設備は限られても、その運転方法は発生する事象ごとに異なるわけである。ある運転要領では運転中の空調機を停止状態に設定する場合もあれば、別の運転要領では運転中の空調機を起動状態に設定するなどである。もし運転員が作成する設備の運転マニュアルに基づいて、運転条件に応じて、そのまま設備自動運転が可能な仕組みを設けることができれば、設備運転員は自ら自由に設備自動運転を行うことができ、最適な設備の運転形態も比較的容易に見つけることも出来る様になり、上記の問題は用意に解決できるはずである。ここでは、運転員に替わって、設備に発生する事象を自動的に検知して、対応する運転マニュアルを選択する機能が求められるわけである。
【００２２】
ここでは、解決のために、発生事象の条件と運転マニュアルを自動リンクさせる方法をとることとした。すなわち、設備運転員が通常行う運転マニュアルを新規に起草や変更追加する場合には、その呼出し条件を、設備運転用に設けられる運転マニュアルすなわち運転用画面を自動的に操作する機能との関連を追加記述する方法で、設備運転員がコンピュータ技術者の手を介さずに設備の自動運転機能を容易に設けることを可能とする方法である。例えば、受電電力が契約容量を超過する逼迫した状態にあれば大幅な電力削減用の運転マニュアルを選択するが、そうでない場合には小幅な電力削減用の運転マニュアルを選択する場合などである。
【００２３】
また、設備の操作方法は、特定設備ごとに起動や停止などの運転状態をセットにした、いくつかの運転操作方法を共通化して登録することにより、複数の運転マニュアル間で共通に使用できる仕組とする。すなわち、複数の運転マニュアルで利用する設備運転画面の操作方法を共通に利用できる画面操作方法を登録して利用可能とすることで、運転マニュアルの記述をすれば設備運転画面が簡単に実行可能な仕組みを設けることである。
【発明の効果】
【００２４】
運転員が、慣れ親しんだ運転マニュアルを基に設備の自動運転を行うことができ、熟練度が十分でない運転員でも誤りの無い設備運転が出来る。
さらに、コンピュータの専門家の手を介さずに、設備運転マニュアルを記述することにより設備の運転ができる機能の実用化は、設備運転技術者の業務効率の向上に貢献する。
【実施例１】
【００２５】
図１から図３を用いて、本発明の作用について説明する。
図１には本発明の構成例を示す。ここでは、運転支援機能を持つコンピュータ（以下、運転支援用機能１という）、監視制御用コンピュータ（以下、監視制御用機能２０という）、および運転設備３０より構成される。
【００２６】
運転支援用機能１は、入出力用にモニター８、キーボード９、マウス１０を備え、更に設備運転支援機能２、運転マニュアルファイル３、画面操作手順ファイル４および関連付けファイル５を備え、運転マニュアル編集機能１１、画面操作手順ファイル編集機能１２および関連付けファイル編集機能１３を備えている。監視制御用機能２０は、入出力用にモニター２１、スピーカー２２を備え更に図には記述しないマウスやキーボードを備え、運転員が設備の運転を遂行するために設けられる機能である。
【００２７】
ここでは対象とする運転設備３０の状態をモニター２１に表示したり、スピーカー２２を鳴動して設備の故障などを運転員に通知し、運転員がモニター２１に表示される画面を操作して設備の状態を目的の状態に設定制御するための機能を備えている。
図２には、監視制御用機能が表示する受電設備の状態表示の例を示す。運転員はこの受電設備を例に設備状態を画面に表示すると共に画面から設備の状態変更の制御も行う。
【００２８】
図３は運転マニュアルファイル３の記述例ならびに設備操作手順ファイル４および関連付けファイル５の記述例である。
以下では、多くの事業所に設けられる代表的な２回線受電設備において常用線受電から予備線受電への切替作業を行う例を用いて本発明の作用を説明する。
【００２９】
たとえば、受電線切替の要求の原因となる現象が発生すれば、スピーカー２２に鳴動して通知されるとする。監視制御機能信号入力処理７でスピーカー鳴動信号を検知すれば、設備運転支援機能２に通知される。
【００３０】
このとき、設備運転支援機能２が運転マニュアルファイル３から運転マニュアル記述部に記載のデータを取り出してモニター８に表示する。運転マニュアルファイル３の記述には、対象設備の状態を目視などで確認すると共に制御盤を使用して現場で機器操作を行う作業を単なるテキストデータなどで表記するもののほか、運転員が監視制御用機能２０の設備運転機能の画面操作により対象設備２２の操作を行うための画面操作手順ファイル４および関連付けファイル５が含まれる。
【００３１】
運転員は表示される運転マニュアルの記載内容に沿って順に設備の確認や操作を実行する。
ここで、関連付けのある項目で例えば「リレー４３LRをロックする」と記述される作業を実施する記述部で運転員が本内容をマウス１０でクリックすれば、設備運転支援機能２がこれを検知して、関連付けファイル５から画面操作手順ファイル４を探し出し、画面操作手順ファイル５に記述されたデータを読み出し、本記述に基づいて監視制御用機能２０によるマウスとキーボード操作を実行する。
【００３２】
こうすることにより、運転員によるワンタッチ操作で「リレー４３LRをロックする」と記述される作業が完了する。同様に、「８９Ｒ２１を投入する」「８９Ｒ２２を投入する」と記述される内容に沿った作業を現場で実施後、次に「５２Ｒ２を投入する」と記述される操作を運転員が本内容をマウス８でクリックすれば、設備運転支援機能２がこれを検知して関連する設備操作手順ファイル４を読み出し、本記述に基づいて監視制御用機能２０が持つマウスとキーボード操作を自動実行する。
【００３３】
こうすることにより、前記の「リレー４３LRをロックする」と記述される作業と同様に運転員によりワンタッチ操作で「５２Ｒ２を投入する」と記述される作業が完了する。このようにして運転マニュアルの記述に沿った作業項目を遂行することにより目的の設備運転操作を完了する。
なお、図１の記載の運転マニュアル編集機能１１、画面操作機能編集機能１２および関連付け編集機能１３は、それぞれ、運転マニュアルファイル３、画面操作手順ファイル４および関連付けファイル５の内容を生成登録するための機能であり、設備運転員は自由に必要な記述を登録することが出来る。
【００３４】
上記の例では、運転支援機能と設備監視制御機能は、異なるコンピュータ上で機能を実行する構成の例を引いて説明したが、本発明の範囲は１台のコンピュータ上に両方の機能を実装する構成を排除するものではない。
【実施例２】
【００３５】
図４、図２および図５を用いて、他の実施例について説明する。
図４には本発明の構成例を示す。ここでは、入出力機能４０、運転支援用機能４１、および運転設備３０より構成される。
【００３６】
運転支援用機能４１は、入出力用にモニター８、キーボード９、マウス１０を備え、更に設備運転支援機能４２、運転マニュアルファイル４３、入出力操作手順ファイル４４および関連付けファイル４５を備え、運転マニュアル編集機能５１、入出力操作手順ファイル編集機能５２および関連付けファイル編集機能５３を備えている。運転設備３０には設備運転部が備わっておりここでは設備の状態を表示するランプや設定操作用のスイッチが設けられている。
【００３７】
また、運転設備３０を構成すると共に頻繁に操作する機器には、これらの運転状態をコンピュータなどの外部装置にも通知するための状態表示信号や設定制御信号を交換する機能を備えている。これらの信号は、入出力機能４０により設備３０と運転支援機能４１の間の設備運転情報の交換のために使用される。
【００３８】
図２には、受電設備の状態の例を示す。
図５は運転マニュアルファイル４３の記述例ならびに設備操作手順ファイル４４および関連付けファイル４５の記述例である。
以下では、実施例１の場合と同様に、多くの事業所に設けられる代表的な２回線受電設備において常用線受電から予備線受電への切替作業を行う例を用いて本発明の作用を説明する。
【００３９】
たとえば、受電線切替の要求の原因となる現象が発生すれば、運転設備３０に設けるブザーが鳴動して運転員に通知される。
このとき、運転員が運転マニュアルの表示要求操作をすれば、設備運転支援機能４２が運転マニュアルファイル４３から運転マニュアル記述部に記載のデータを取り出してモニター８に表示する。
【００４０】
運転マニュアルファイル４３の記述には、対象の運転設備３０の状態を目視などで確認すると共に、運転設備に備えられるスイッチなどを使用して現場で運転設備３０の機器操作を行うための作業要領を単なるテキストデータなどで表記する。また、頻繁に操作する機器については運転支援用機能４１のモニター８に表示されるボタンやスイッチを操作して運転設備３０の運転操作を実施する要領を記載した入出力操作手順ファイル４４および関連付けファイル４５が含まれる。
【００４１】
運転員は表示される運転マニュアルの記載内容に沿って順に設備の確認や操作を実行する。
ここで、関連付けのある項目で例えば頻繁に操作する機器に関連する「リレー４３LRをロックする」と記述される作業を実施する記述部で運転員が本内容をマウス１０でクリックすれば、設備運転支援機能４２がこれを検知して、関連付けファイル５から入出力操作手順ファイル４を探し出し、入出力操作手順ファイル５に記述されたデータを読み出し、本記述に基づいて入出力機能４０に通知し運転設備の操作を実行する。
【００４２】
この様に、運転員によるワンタッチ操作で「リレー４３LRをロックする」と記述される作業が完了する。同様に、「８９Ｒ２１を投入する」「８９Ｒ２２を投入する」と記述される内容に沿った作業を現場で実施後、次に「５２Ｒ２を投入する」と記述される操作を運転員が本内容をマウス８でクリックすれば、設備運転支援機能４２がこれを検知して関連する設備操作手順ファイル４を読み出し、本記述に基づいて入出力機能４０に通知し運転設備の操作を実行する。
【００４３】
こうすることにより、前記の「リレー４３LRをロックする」と記述される作業と同様に運転員によりワンタッチ操作で「５２Ｒ２を投入する」と記述される作業が完了する。このようにして運転マニュアルの記述に沿った作業項目を遂行することにより目的の設備運転操作を完了する。
【００４４】
なお、図５の記載の運転マニュアル編集機能５１、画面操作機能編集機能５２および関連付け編集機能５３は、それぞれ、運転マニュアルファイル４３、画面操作手順ファイル４４および関連付けファイル４５の内容を生成登録するための機能であり、設備運転員は自由に必要な記述を登録することが出来る。
【実施例３】
【００４５】
実施例１または実施例２に於ける設備運転方法は、運転用のマニュアルを使用しているが、ここでは、設備状態を自動的に判別して自動運転を行うための実施例３について、図６および図７を使用して説明する。
図６には、図１に於ける設備運転支援機能、運転マニュアルファイルならびに運転マニュアルファイル編集機能に替えて、運転条件判別機能による設備運転支援機能、運転条件判別機能による運転ファイル、運転条件判別機能による運転用ファイル編集機能よりなる、実施例３の構成例を示す。
【００４６】
図７には、図１の運転マニュアルファイルに替えて、運転条件判別機能による運転ファイルを設ける。これは、運転条件判別機能による設備運転支援機能が機器の状態や運転環境条件を自動判別して、条件に一致するシナリオの特定と起動を行うために参照するデータを記述するためのファイルであり、条件部、操作部および掲示板部で構成される。
【００４７】
運転条件判別機能は、一定の規則である例えば特定事象の発生や一定の周期で、設備運転条件ファイルの記載に沿って運転条件の判別を行う。
【００４８】
ここでは、実施例３における設備運転支援機能について記載する。
たとえば、受電線切替の要求の原因となる現象が発生すれば、運転設備３０に設けるブザーが鳴動して運転員に通知がなされると共に、運転条件判別機能ファイル６１の掲示板部にブザーの鳴動状態が登録される。
運転条件判別機能による設備運転支援機能６０では、運転条件判別機能ファイル６１の掲示板部に登録されたブザーが鳴動状態となったことを検知すると、運転条件判別機能ファイル６１の条件部に記述される  ＩＦ（  ブザー＝鳴動）に続いて記述される受電予備切替操作として登録されるファイルの、操作部の記述に沿って一連の操作を順次実行する。
【００４９】
ここで、受電予備切替操作として登録されるファイルの操作部の、最初の記述である、「画面操作１  実行」部では、関連付けのある項目で「リレー４３LRをロックする」と記述される作業を実施する。同様に受電予備切替操作として登録されるファイルの、操作部に記述される画面操作２から画面操作４を順に実行する。
【００５０】
こうすることにより、前記の「リレー４３LRをロックする」と記述される作業と同様に自動操作で「５２Ｒ２を投入」や、「５２Ｒ１開放」｛４３ＲＬロック解除」と記述される操作が完了する。このようにして運転条件判別機能ファイルの記述に沿った項目を遂行することにより目的の設備の自動運転操作を完了する。
【００５１】
なお、上記では、図１に記載の構成を基に実施例３の構成の説明をおこなったが、図４の構成を基に、入出力機能による入設備運転支援機能、入出力機能による運転マニュアルファイルならびに入出力機能による運転マニュアルファイル編集機能に替えて、運転条件案別機能による設備運転支援機能、運転条件案別機能による運転マニュアルファイルならびに運転条件案別機能による運転マニュアルファイル編集機能よりなる構成としてもよい。
【産業上の利用可能性】
【００５２】
多くの設備が現にコンピュータによって運転されている実態があり、また、これらの設備のより高度な自動運転機能を付加したいという要求も多くある。たとえば、複数設備を一定の遅延時間を設けて起動させるよう運転を管理することによりピーク電力平準化のために機能を設けたり、設備の省エネ運転を行ったりするケースなどである。
設備運転員が自らの手で、コンピュータの専門家の手を借りずに設備の自動運転機能を付加することができる仕組みは産業界の多くの現場で求められていることである。
コンピュータの導入が行われていない設備もあり、これらの設備に高度な運転機能を付加することも上記と同様に多くの現場で求められている。本発明は、これらの期待に応えることができるものと考えられる。
【図面の簡単な説明】
【００５３】
【図１】発明の構成を示す図
【図２】受電系統の例を示す図
【図３】運転マニュアルと画面操作手順ファイルおよび関連付けを示す関連付けファイルの記述例を示す図
【図４】実施例２の発明の構成を示す図
【図５】入出力機能による運転マニュアルと入出力操作手順ファイルおよび関連付けを示す関連付けファイルの記述例を示す図
【図６】実施例３の発明の構成を示す図
【図７】運転条件判別ファイルと画面操作手順ファイルおよび関連付けを示す関連付けファイルの記述例を示す図
【符号の説明】
【００５４】
１    運転支援用機能
２    設備運転支援機能
３    運転マニュアルファイル
４    画面操作手順ファイル
５    関連付けファイル
６    画面操作処理機能
７    監視制御機能信号入力処理
８    モニター
９    キーボード
１０    マウス
１１    運転マニュアル編集機能
１２    画面操作手順編集機能
１３    関連付け編集機能
２０    監視制御用機能
２１    モニター
２２    スピーカー
３０    運転設備
４０    入出力機能
４１    入出力機能による運転支援用機能
４２    入出力機能による設備運転支援機能
４３    入出力機能による運転マニュアルファイル
４４    入出力機能による操作手順ファイル
４５    入出力機能による関連付けファイル
４６    入出力操作処理機能
５１    入出力運転マニュアル編集機能
５２    入出力操作手順編集機能
５３    入出力関連付け編集機能
６０    運転条件判別機能による設備運転支援用機能
６１    運転条件判別機能による運転用ファイル
６２    運転条件判別機能による運転用ファイル編集機能
【図４】
2016115324.tif 000003
【図１】
2016115324.tif 000004
【図２】
2016115324.tif 000005
【図３】
2016115324.tif 000006
【図５】
2016115324.tif 000007
【図６】
2016115324.tif 000008
【図７】
2016115324.tif 000009